(57)【特許請求の範囲】
【請求項１】
口部にキャップが装着された容器と、
前記容器を横倒しの状態で保持するための容器保持具と、を備え、
前記容器保持具は、前記キャップを挿入可能な容器保持孔を備えており、
前記容器は、前記キャップの周面に段部が一周形成されており、
前記容器保持孔の開口周縁には、前記容器保持孔内に前記キャップが挿入されたとき、前記キャップの挿入方向に屈曲して先端部が前記キャップの周面に形成された前記段部の下面に突き当たる突片が複数設けられている容器包装体。
【請求項２】
前記キャップは、周面に前記段部が形成された大径部と、前記大径部上に設けられた前記大径部よりも径の小さな小径部とを備えていて、前記各突片は、その先端部が前記キャップの小径部の周面に当接するように形成されていることを特徴とする請求項１に記載の容器包装体。
【請求項３】
前記各突片は、前記容器保持孔の開口周縁の等角度位置に設けられていることを特徴とする請求項１または２に記載の容器包装体。
【請求項４】
前記容器保持具は、台紙からなることを特徴とする請求項１〜３のいずれかに記載の容器包装体。
【請求項５】
口部にキャップが装着された容器と、
前記容器に装着され、商品を収納して前記容器に付帯するための商品収容具と、を備え、
前記商品収容具は箱状体からなり、前記箱状体の底面に前記キャップを挿入可能な容器保持孔を備えており、
前記容器は、前記キャップの周面に段部が一周形成されており、
前記箱状体の底面の前記容器保持孔の開口周縁には、前記容器保持孔内に前記キャップが挿入されたとき、前記キャップの挿入方向に屈曲して先端部が前記キャップの周面に形成された前記段部の下面に突き当たる突片が複数設けられている容器包装体。
【請求項６】
口部にキャップが装着された容器に、前記容器を横倒しの状態で保持するための容器保持具または商品を収納して前記容器に付帯するための商品収容具を装着するための装着方法であって、
前記キャップを挿入可能な容器保持孔を備える容器保持具または商品収容具を前記キャップ上に供給する供給工程と、
前記容器保持孔に前記キャップを挿入して、前記容器保持孔の開口周縁に設けられた複数の突片を前記キャップの挿入方向に屈曲させて、前記各突片の先端部を前記キャップの周面に一周形成された段部の下面に突き当てる取付工程とを備えている容器保持具または商品収容具の装着方法。
【発明の詳細な説明】
【技術分野】
【０００１】
本発明は、容器を陳列用台などに吊り下げた状態で展示する際に容器に装着したり、また、例えば広告・宣伝を容器に掲示したり、あるいはサンプルや小型商品などを容器に付帯したりする際に容器に装着する容器保持具または商品収容具を用いた容器包装体、この容器保持具または商品収容具の装着方法に関する。
【背景技術】
【０００２】
従来より、薬剤、食品、化粧品などの商品を、例えば店頭などに吊り下げた状態で陳列展示できるように包装する手段として、台紙の上に商品を載せた後、商品を収納可能な凹部を有する透明のプラスチックカバーを商品の上から被せて包装するブリスタ包装や、シュリンクフィルムなどの筒状の樹脂製フィルムで商品を包み込んで一体に包装するシュリンク包装などが一般的に知られている。
【０００３】
ここで、上記したブリスタ包装においては、商品を収納可能な凹部の大きさを、商品より大きく形成すると、商品を台紙上の所定位置に保持することができないため、運搬時などにおいて商品が移動して商品の向きや位置が所定位置から大きくずれると、商品の見栄えが悪くなるだけでなく、商品の変形や損傷を招くおそれもある。よって、商品を台紙上の所定位置に保持するためには、商品の外形に応じた凹部をプラスチックカバーに形成する必要があるが、これでは包装対象となる商品の形状が制限され不便である。また、上記したシュリンク包装においては、商品をシュリンクフィルムで包装する際に、台紙と容器の位置がずれてしまうおそれがあり、位置ずれしたまま包装してしまうと、同様に、包装後の商品の見栄えが悪くなる（例えば、特許文献１参照）。
【０００４】
そこで、特に、瓶容器やペットボトルなどの容器を包装する際には、図１７に示すように、台紙１００に容器保持孔１０１を設け、この容器保持孔１０１を、容器のキャップと胴部との間に存在する内側にくびれた部分（首部）に係合することにより、容器を台紙１００にて保持することが一般に行われている。このような容器保持孔１０１は、その径ｒが、容器のキャップの外径より小さく設定されているとともに、容器保持孔１０１から放射状に延びるスリット１０２が複数設けられており、このスリット１０２を介して容器保持孔１０１が容易に拡径することで、容器保持孔１０１は、容器のキャップが容易に通過して首部に係合することが可能になっている。
【０００５】
また、瓶容器やペットボトルなどの容器は、キャンペーンなどの広告・宣伝を容器に掲示したり、サンプルや小型商品（いわゆる、「おまけ」）などを容器に付帯させたりする際に、広告内容を記載したラベルや、おまけを収容した箱を、容器の首部に装着した状態で、陳列・販売することが広く行われている。この場合においても、ラベルや箱の底部に、上述したような容器の首部が係合し得る容器保持孔を形成し、この容器保持孔に容器の首部を係合させることにより、ラベルや箱を容器に装着するようにするのが一般的である（例えば、特許文献２参照）。
【先行技術文献】
【特許文献】
【０００６】
【特許文献１】特開平８−１０４３１０号公報
【特許文献２】特開２０００−９８８９５号公報
【発明の概要】
【発明が解決しようとする課題】
【０００７】
しかしながら、容器には、キャップと胴部との間に内側にくびれた首部を有さない態様のものも存在する。このような首部を有さない態様の容器に対しては、上記した図１７の構成の台紙１００では、容器保持孔１０１に容器のキャップを挿入したとしても、容器ががたついたり、台紙１００から簡単に外れたりするなど、容器をしっかりと保持することが困難である。
【０００８】
本発明は、上記した問題に着目してなされたものであり、がたつくことなく容器を保持することができる容器保持具または商品収容具を用いた容器包装体、この容器保持具または商品収容具の装着方法を提供することを目的とする。
【課題を解決するための手段】
【０００９】
本発明の上記目的は、口部にキャップが装着された容器と、前記容器を横倒しの状態で保持するための容器保持具と、を備え、前記容器保持具は、前記キャップを挿入可能な容器保持孔を備えており、前記容器は、前記キャップの周面に段部が一周形成されており、前記容器保持孔の開口周縁には、前記容器保持孔内に前記キャップが挿入されたとき、前記キャップの挿入方向に屈曲して先端部が前記キャップの周面に形成された前記段部の下面に突き当たる突片が複数設けられている容器包装体により達成される。
【００１１】
本発明のさらに好ましい実施態様においては、前記キャップが、周面に前記段部が形成された大径部と、前記大径部上に設けられた前記大径部よりも径の小さな小径部とを備えていて、前記各突片は、その先端部が前記キャップの小径部の周面に当接するように形成されていることを特徴としている。
【００１２】
本発明のさらに好ましい実施態様においては、前記各突片は、前記容器保持孔の開口周縁の等角度位置に設けられていることを特徴としている。
【００１３】
本発明のさらに好ましい実施態様においては、前記容器保持具は、台紙からなることを特徴としている。
【００１４】
本発明の他の好ましい実施態様においては、口部にキャップが装着された容器と、 前記容器に装着され、商品を収納して前記容器に付帯するための商品収容具と、を備え、前記商品収容具は箱状体からなり、前記箱状体の底面に前記キャップを挿入可能な容器保持孔を備えており、前記容器は、前記キャップの周面に段部が一周形成されており、前記箱状体の底面の前記容器保持孔の開口周縁には、前記容器保持孔内に前記キャップが挿入されたとき、前記キャップの挿入方向に屈曲して先端部が前記キャップの周面に形成された前記段部の下面に突き当たる突片が複数設けられていることを特徴としている。
【００１５】
また、本発明の上記目的は、口部にキャップが装着された容器に、前記容器を横倒しの状態で保持するための容器保持具または商品を収納して前記容器に付帯するための商品収容具を装着するための装着方法であって、前記キャップを挿入可能な容器保持孔を備える容器保持具または商品収容具を前記キャップ上に供給する供給工程と、前記容器保持孔に前記キャップを挿入して、前記容器保持孔の開口周縁に設けられた複数の突片を前記キャップの挿入方向に屈曲させて、前記各突片の先端部を前記キャップの周面に一周形成された段部の下面に突き当てる取付工程とを備えている容器保持具または商品収容具の装着方法によっても達成される。
【００１７】
上記した構成の容器包装体においては、前記容器保持具に保持される容器全体を被包する樹脂製フィルムをさらに備えることが好ましい。また、前記容器保持具には、端部に吊下げ用の鉤部材が引っ掛けられる貫通孔が設けられていることが好ましい。
【発明の効果】
【００１８】
本発明によれば、容器をがたつくことなく保持することができる。
【図面の簡単な説明】
【００１９】
【図１】本発明の一実施形態に係る容器包装体の外観を示す斜視図である。
【図２】図１の背面図である。
【図３】容器の正面図である。
【図４】容器の平面図である。
【図５】容器保持具の平面図である。
【図６】図１の要部における縦断面図である。
【図７】キャップの他の実施形態を示す縦断面図である。
【図８】容器保持具の他の実施形態を示す平面図である。
【図９】容器保持具の他の実施形態を示す平面図である。
【図１０】容器保持具の他の実施形態を示す平面図である。
【図１１】本発明の他の実施形態に係る容器包装体の要部における縦断面図である。
【図１２】本発明の他の実施形態に係る容器包装体の要部における縦断面図である。
【図１３】本発明の実施形態ではない容器包装体の要部における縦断面図である。
【図１４】本発明の他の実施形態に係る容器包装体の要部における縦断面図である。
【図１５】商品収容具の斜視図である。
【図１６】本発明の他の実施形態に係る容器包装体の要部における縦断面図である。
【図１７】従来例の容器保持具の平面図である。
【発明を実施するための形態】
【００２０】
図１および図２には、本発明の一実施形態である容器包装体１の外観が示してある。なお、図２では、図１において図示されている樹脂製フィルム４が省略されている。図示例の容器包装体１は、商品として薬液、化粧品、香料、飲料水などの内容物が内部に収容された容器２を包装してかつ陳列するためのもので、容器２を横倒しの状態で支持する容器保持具３と、容器２を容器保持具３と一体に包装する樹脂製フィルム４とを含んでいる。
【００２１】
容器２は、図３および図４に示すように、内容物を収容可能な中空の胴部２０と、胴部２０に連続して一体形成された円筒状の口部２１とを有しており、口部２１にキャップ５が装着されている。口部２１は、胴部２０内の内容物を注出するためのものであり、胴部２０より小径に形成され、キャップ５により口部２１上部の注出口２２が密閉されている。この容器２としては、ガラス瓶やペットボトル、金属缶など、形態や素材などが種々の態様のものを適用できる。なお、本実施形態の容器２としては、例えば、水洗トイレの貯水タンクの手洗い部や便器のリムに取り付けられて便器などに薬液を供給する薬液供給装置に好適に使用される合成樹脂製の薬液容器を例示している。
【００２２】
キャップ５は、図３および図４に示すように、小径部６と、小径部６の下方に連続して設けられた小径部６よりも径の大きな大径部７とを備えた構成のものであり、その外形が小径の部分と大径の部分とに分かれている。キャップ５の大径部７の外周面には、周面より突き出る段部８が一体に一周形成されている。このキャップ５は、例えば、全体が軟質の合成樹脂により形成される。
【００２３】
小径部６は、本実施形態では、図６に示すように、環状の本体部５０と、その中央の穴を塞ぐ円板状の底壁部５１とで構成されている。本体部５０は、容器２の口部２１の内周面と当接する円筒状の内側壁部５２と、口部２１の外周面を覆う円筒状の外側壁部５３と、内側壁部５２および外側壁部５３の上部同士を連結する輪状のフランジ部５４とからなり、フランジ部５４が口部２１の頂面と当接している。
【００２４】
底壁部５１は、内側壁部５２の下端部に薄肉部５５を介して分離可能に連結されており、容器２の口部２１の注出口２２を閉塞している。本実施形態の容器２として例示されている薬液容器は、使用に際しては、キャップ５を容器２の口部２１に装着したまま、容器２を図示しない薬剤供給装置にセットすることにより使用されるが、前記薬剤供給装置の接続部を薄肉部５５に差し込むことにより、薄肉部５５が破断され、その結果、底壁部５１が内側壁部５２から分離することにより、胴部２０内の薬液が口部２１の注出口２２から前記薬剤供給装置に供給されるものである。
【００２５】
外側壁部５３の内周面には、容器２の口部２１の外周面に向けて突き出る先細形状の抜止め部５６が一周にわたって一体形成されている。この抜止め部５６が、容器２の口部２１の外周面に一体に一周形成された係合部２３に引っ掛かって係合することで、キャップ５が容器２に固定される。
【００２６】
外側壁部５３の下端部の外周面には、キャップ５の径方向外側に突き出る突出部５７が一周にわたって設けられている。突出部５７には、下方に向けて延び、その下端部が容器２の胴部２０の上面近くまで達している立壁部５８が一体形成されている。本実施形態では、この立壁部５８が、容器２の胴部２０との間に隙間をあまり設けることなく、胴部２０の上面近くまで達することで、キャップ５を容器２から簡単に取り外すことができないように規制しているとともに、上記した隙間から、水や空気などの異物がキャップ５内に混入するのを防止するようになっている。なお、図示例では、立壁部５８の外周面が下方に向かうに連れてキャップ５の径方向内側に向かって傾斜しているが、鉛直方向に延びていてもよい。この突出部５７および立壁部５８が大径部７を構成しており、キャップ５の最外形となる突出部５７の外周面に、段部８が一体形成されている。
【００２７】
また、キャップ５の構造は、本実施形態のものに限られるものではなく、例えば、図７に示すように、一般的なペットボトルに用いられるキャップのような一端に開口を有する有底筒状のキャップ本体６０（小径部６）の下端に、キャップ本体６０よりも径の大きな円筒状のスカート部６１（大径部７）が垂下した構造のものであってもよい。
【００２８】
容器保持具３は、本実施形態では、図５に示すように、弾性を有するシート材からなり、例えば、厚紙材からなる略矩形状の台紙により構成できる。なお、容器保持具３を構成するシート材としては、弾性を有していれば、台紙の他、例えば、樹脂製シート、金属製シート、あるいは、これらの積層体を用いてもよい。
【００２９】
容器保持具３の上端側の幅中央部には、吊り下げ用の鉤部材（図示せず）を引っ掛けることが可能な円形状の貫通孔３０が開設されている。この貫通孔３０に陳列用のパネル（図示せず）に設けられた前記鉤部材を引っ掛けて、容器包装体１を吊り下げ状態で支持することで、商品である容器２を陳列することが可能となっている。
【００３０】
容器保持具３の下端側の幅中央部には、キャップ５を挿入することが可能な容器保持孔３１が形成されている。容器保持孔３１の外形は、キャップ５の外形に相応するように円形状に形成されており、その直径Ｒ１は、キャップ５の最外形となる部分、本実施形態では、大径部７の外径Ｒ２（図３に示す）とほぼ同じ大きさ、または、外径Ｒ２よりも僅かに大きく設定されている。これにより、キャップ５が容器保持孔３１を難なく通過するとともに、容器保持孔３１に挿入されたキャップ５が、容器保持孔３１内であまりがたつくことがないようになっている。
【００３１】
容器保持孔３１の開口周縁には、内方に向けて突き出る突片３２が複数形成されている。各突片３２の基端部は容器保持具３に一体に連なっており、この連なった部分を折曲部として各突片３２は上下に屈曲することが可能である。この各突片３２は、容器保持具３を切り欠くことによって容器保持孔３１を形成する際に、各突片３２に対応する部分を切り取らずに残すことによりそれぞれ形成されている。
【００３２】
容器保持孔３１内にキャップ５が挿入されると、図６に示すように、各突片３２は、キャップ５の大径部７（突出部５７）の上面により押されることで、奥側（キャップ５の挿入方向）へ開くように屈曲して拡径する。その後、大径部７に形成された段部８が屈曲した各突片３２を通過すると、各突片３２は、弾性変形により元の状態に戻ろうとして縮径し、各突片３２の先端部が段部８の下面に相対するようになる。これにより、容器保持具３が、容器２の胴部２０とキャップ５の段部８との間に挟まれ、容器２を容器保持具３から取り外そうとしても、キャップ５の段部８の下面に容器保持具３の各突片３２の先端部が突き当たることで、キャップ５は容器保持孔３１から脱出することが防止され、その結果、容器２が容器保持具３から簡単に外れることがないようになっている。また、各突片３２は、弾性力によりキャップ５の大径部７（立壁部５８）を側方から支える。これにより、キャップ５が、容器保持孔３１内でがたつくことなくしっかりと保持されるため、容器２が容器保持具３に横倒しの状態で支持されるようになっている。
【００３３】
図５に戻って、突片３２は、本実施形態では、容器保持孔３１の開口周縁の等角度位置の複数箇所（図示例では６箇所）に設けられており、これにより、キャップ５を各突片３２により均等に支えることができるようになっている。
【００３４】
各突片３２は、その先端縁が、平面視において凸曲状に形成されている。本実施形態では、突片３２の先端部のみが丸い略台形の山形状に形成されているが、突片３２の全体がなだらかな丸い山形状に形成されていてもよい。また、各突片３２は、ほぼ左右対称の形状を有しており、それぞれの先端部が、キャップ５の小径部６の外周面に当接するように形成されている。これにより、後述するように、容器保持具３の容器保持孔３１に容器２のキャップ５を挿入させる際に、容器保持具３とキャップ５との位置合わせを容易に行えるようになっている。また、本実施形態では、各突片３２の先端部が丸みを帯びていることで、先端部が尖っている場合と比べると、先端部が潰れにくくなっており、容器保持孔３１とキャップ５との位置合わせを不利なく行えるようになっている。
【００３５】
なお、突片３２の平面視形状は、本実施形態の形状に限られるものではない。また、突片３２の数も任意に設定することができる。さらに、容器保持孔３１の外形は、円形状に限られるものではなく、キャップ５の形状に相応して変化させたり、あるいは、キャップ５が挿入可能であるのであれば、キャップ５の形状とは関係のないその他種々の形状を採用することもでき、その形状は問わない。例えば、容器保持孔３１の外形を、キャップ５の外形よりも大きい多角形状に形成するようにしてもよい。
【００３６】
また、図８に示すように、容器保持孔３１，３１を容器保持具３に上下二段に設け、各容器保持孔３１，３１に容器２のキャップ５をそれぞれ挿入することで、１つの容器保持具３に２個の容器２を上下で支持することができるように構成してもよい。このように、容器保持具３に設ける容器保持孔３１の数も任意に設定することができる。
【００３７】
また、複数の突片３２を、必ずしも、容器保持孔３１の開口周縁に等間隔で配置する必要はなく、各突片３２間の間隔をそれぞれ変えたり、さらには、図９に示す実施形態のように、複数（図示例では３つ）の突片３２を間隔を設けずに並べて配置して突片の列３３を形成し、この突片の列３３を容器保持孔３１の開口周縁の複数箇所（図示例では２箇所）に設けるようにしてもよい。
【００３８】
また、図１０に示す実施形態のように、多数（図示例では６つ）の突片３２を間隔を設けずに並べて配置することで、１つの突片の列３３を、容器保持孔３１の開口周縁の約半分の領域に及ぶようにして設けてもよい。この図１０に示す実施形態においては、この突片の列３３は、容器保持孔３１内にキャップ５が挿入されたとき、キャップ５の大径部７（立壁部５８）側面の少なくとも上半分側を支えるように、容器保持孔３１の開口周縁に設けられることが好ましい。容器保持孔３１にてキャップ５が保持されることで容器２が容器保持具３に横倒しの状態で支持される状態では、キャップ５と容器２の胴部２０との重さの差により、胴部２０がその自重により垂れ下がるとともにキャップ５が浮きあがって、容器２が下方に傾くおそれがある。しかし、この突片の列３３によって、容器２のキャップ５側面の上半分側を支えることにより、キャップ５の浮きあがりが抑制される結果、容器２が下方に傾くことを防止でき、よって、容器２をがたつくことなくしっかりと支持できるようになっている。
【００３９】
図５に戻って、容器保持具３の下端部には、舌片３４が下方に向かって一体に連設されている。この舌片３４は、折曲げ線３５によって前方側へ折り曲げることができるように構成されており、横倒しの状態で支持された容器２の側面に当接して、容器２を下方から支える。これにより、容器包装体１を吊り下げ状態でなくとも、台上などに載置して陳列することが可能となっている。
【００４０】
また、容器保持具３に容器２をより確実に保持するため、以下のように樹脂製フィルム４（図１に示す）を巻いてもよい。容器保持具３の両側端部には、容器２が取り付けられる取付領域の上方位置に、Ｖ字状の切欠部３６が形成されている。この各切欠部３６および容器保持具３の下端両側の角部３７に樹脂製フィルム４を引っ掛けることで、樹脂製フィルム４をずれることなく容器保持具３にセットすることが可能となっている。なお、容器保持具３の両側端部の容器２の取付領域の下方位置にもＶ字状の切欠部を形成し、上下の切欠部にて樹脂製フィルム４を引っ掛けるような構成にしてもよい。
【００４１】
樹脂製フィルム４は、容器保持具３の表面に容器２が保持された状態で、これらを一体に囲繞することにより、容器２を包装して保護するとともに容器保持具３に容器２をしっかりと固定させるものである。この樹脂製フィルム４としては、例えば、シュリンクフィルム、ラップフィルムなどが用いられる。
【００４２】
なお、樹脂製フィルム４に代えて、容器２を収納可能な凹部を有する透明のプラスチックカバーにより、容器２の包装を行うようにしてもよい。このプラスチックカバーは、接着や係合手段などの公知の方法により、容器包装具３の表面に取り付けることが可能である。
【００４３】
次に、上記構成を備えた容器包装体１を使用する方法について説明する。まず、容器２を立てた状態で載置して、容器２のキャップ５上に、シート状の容器保持具３を供給する。  次に、容器保持具３を下方に降ろして、キャップ５を容器保持具３の容器保持孔３１に挿入する。このとき、容器保持孔３１に設けられた複数の突片３２を、キャップ５の小径部６の外周面に当接させながら容器保持具３を下方に降ろすことにより、容器保持具３と容器２のキャップ５との位置合わせを行うことが可能となっている。
【００４４】
容器保持具３を下方に降ろすことで、キャップ５の大径部７の上面に容器保持孔３１の各突片３２を押し当て、各突片３２を大径部７により上側に折り曲げることにより拡径させて、大径部７を容器保持孔３１を通過させる。その後、大径部７の段部８が、上方に向けて折れ曲がった各突片３２を通過すると、各突片３２が弾性変形により元の状態に戻ろうとして縮径し、各突片３２の先端部が段部８の下面に相対する。
【００４５】
このようにして容器保持具３に装着された容器２は、容器２を容器保持具３から取り外そうとしても、キャップ５の段部８の下面に容器保持具３の各突片３２の先端部が突き当たることで、キャップ５が容器保持孔３１から脱出することが防止される。よって、容器２が容器保持具３から簡単に外れることがないようになっている。また、容器２は、キャップ５の大径部７（立壁部５８）が、各突片３２によって側方から支持されているので、キャップ５が容器保持孔３１内でがたつくことなくしっかりと保持される。その結果、容器２ががたついたりすることなく、容器保持具３に横倒しの状態で支持される。
【００４６】
最後に、容器２および容器保持具３を樹脂製フィルム４で一体に囲繞することにより、包装を行う。こうして、容器２を包装した容器包装体１は、出荷された後、店頭で吊り下げ状態などで陳列される。
【００４７】
以上、本発明の一実施形態について説明したが、本発明の具体的な態様は上記実施形態に限定されない。例えば、上記した実施形態においては、キャップ５の外形は、小径部６と小径部６よりも径の大きな大径部７とにより形成されているが、必ずしもこれに限られるものではなく、図１１に示すように、上端から下端にわたって均一またはほぼ均一の径を有するように形成されていてもよい。この実施形態においては、キャップ５の外側壁部５３の下端部が、下方に向けて延びて、容器２の胴部２０の上面近くまで達しており、外側壁部５３の下方位置に、段部８が一体に一周形成されている。なお、この実施形態の容器２、キャップ５、および容器保持具３も、基本的な構成は上記した実施形態の構成と同様であり、ここでは対応する構成に同一の符号を付することで詳細な説明を省略する。
【００４８】
この実施形態においては、容器保持孔３１内にキャップ５が挿入されると、各突片３２は、キャップ５（本体部５０）の上面により押されることで、奥側（キャップ５の挿入方向）へ開くように屈曲して拡径する。その後、段部８が屈曲した各突片３２を通過すると、各突片３２は、弾性変形により元の状態に戻ろうとして縮径し、各突片３２の先端部が段部８の下面に相対する。これにより、容器保持具３が、容器２の胴部２０とキャップ５の段部８との間に挟まれる結果、容器２を容器保持具３から取り外そうとしても、容器保持具３の各突片３２の先端部がキャップ５の段部８の下面に突き当たることで、キャップ５は容器保持孔３１から脱出することが防止され、容器２が容器保持具３から簡単に外れることがないようになっている。また、各突片３２は、弾性力によりキャップ５（外側壁部５３）を側方から支える。これにより、キャップ５が、容器保持孔３１内でがたつくことなくしっかりと保持されるため、容器２が容器保持具３に横倒しの状態で支持される。
【００４９】
また、キャップ５は、その下端部（図示例では、外側壁部５３の下端部）が必ずしも容器２の胴部２０の上面まで延びている必要はなく、図１２に示すように、キャップ５（外側壁部５３）の下端部と容器２の胴部２０との間に隙間を設けて、キャップ５と容器２の胴部２０との間が内側にくびれるようになっていてもよい。この実施形態においては、段部８を、外側壁部５３の下端部よりも上方位置に設けるのが好ましい。これにより、本実施形態の容器保持具３によれば、キャップ５と容器２の胴部２０との間に内側にくびれた部分を有する形態の容器２に対しても、上記したキャップ５と容器２の胴部２０との間に内側にくびれた部分を備えない形態の容器２と同様の作用・効果を得られる。
【００５０】
また、容器２は、その成形方法によっては独自の形態を有するものもあり、例えば図１３に示すように、その成形方法の特性上、口部２１の基端部（口部２１の胴部２０との境界部）に、部分的に肉厚に形成された厚肉部２１Ａを有するものもある。このような図１３に示す容器２については、本発明の実施形態ではないが、容器保持具３の容器保持孔３１を、容器２のキャップ５および口部２１の厚肉部２１Ａまで挿入可能な大きさに形成するとともに、口部２１の厚肉部２１Ａの外周面に周面より突き出る段部８を設けることによっても、上記した実施形態と同様の作用・効果を得られる。
【００５１】
つまり、容器保持孔３１内にキャップ５が挿入されると、各突片３２は、キャップ５（本体部５０）の上面により押されることで、奥側（キャップ５の挿入方向）へ開くように屈曲して拡径する。その後、容器口部２１の厚肉部２１Ａが容器保持孔３１内に挿入され、段部８が屈曲した各突片３２を通過すると、各突片３２は、弾性変形により元の状態に戻ろうとして縮径し、各突片３２の先端部が段部８の下面に相対する。これにより、容器保持具３が、容器２の胴部２０と段部８との間に挟まれる。その結果、容器２を容器保持具３から取り外そうとしても、容器保持具３の各突片３２の先端部が段部８の下面に突き当たることで、容器２は容器保持孔３１から脱出することが防止され、容器２が容器保持具３から簡単に外れることがないようになっている。また、各突片３２は、弾性力により容器２の口部２１を側方から支える。これにより、口部２１が、容器保持孔３１内でがたつくことなくしっかりと保持されるため、容器２が容器保持具３に横倒しの状態で支持される。
【００５２】
なお、図１３では、キャップ５の外形が容器口部２１の厚肉部２１Ａの外形とほぼ同じ大きさに形成されているが、容器口部２１の厚肉部２１Ａの外形よりも小さな径に形成されていてもよい。この場合、各突片３２は、容器２の取付前に置いて、それぞれの先端部が、キャップ５の外周面に当接するように形成されるのが望ましい。また、図１３の実施形態においては、段部８を容器口部２１の厚肉部２１Ａに設けたが、図１４に示す本発明の他の実施形態のように、段部８をキャップ５の外周面（外側壁部５３の外周面）の下方位置に設けるように構成しても、上記した実施形態と同様の作用・効果を得られる。
【００５３】
また、上記した実施形態では、容器保持具が用いられているが、例えば、お茶、コーヒーのような飲料水を入れたペットボトルなどの容器の販売に際し、アクセサリー、模型、お菓子のような小物商品をおまけとして収納して容器に付帯することのできる商品収容具を用いることもできる。
【００５４】
商品収容具９は、図１５および図１６に示すように、内部におまけＤを収容可能な収容空間９０を有する箱状体により構成されている。商品収容具９の底部中央部には、容器２´のキャップ５´を挿入可能な容器保持孔９１が形成されている。この容器保持孔９１は、上記した実施形態の容器保持孔３１と同様の構成を有しており、その径Ｒ１が、キャップ５の最外形となる部分の外径Ｒ２とほぼ同じ大きさ、または、外径Ｒ２よりも僅かに大きく設定されている。容器保持孔９１の開口周縁には、容器保持孔９１内にキャップ５が挿入されたとき、商品収容具９の内部に屈曲してキャップ５の側面に形成された段部８の下面に相対する突片９２が複数設けられている。
【００５５】
この実施形態の商品収容具９においても、容器２´に商品収容具９が装着されると、容器２´を商品収容具９から取り外そうとしても、商品収容具９の各突片９２の先端部がキャップ５´の段部８の下面に突き当たることで、キャップ５´は容器保持孔９１から脱出することが防止されるため、容器２´が商品収容具９から簡単に外れることがないようになっている。また、各突片９２は、弾性力によりキャップ５´を側方から支えるので、キャップ５´が容器保持孔９１内でがたつくことなくしっかりと保持される。よって、商品収容具９が容器２´に対してがたついたりするのが防止される。
【００５６】
なお、この実施形態では、おまけＤは、容器２´のキャップ５上や、あるいは、商品収容具９の内壁とキャップ５´外週面との間に配置されるようになるが、商品収容具９の内部の収容空間９０を仕切りなどにより上下に二分割して、おまけＤを収容可能なおまけ収容空間、および、キャップ５´を収容可能な容器収容空間の二つの空間を形成するようにしてもよい。
【００５７】
また、本発明の実施形態ではないが、例えば、おまけＤが軽量のものであれば、商品収容具９をラベル状に形成し、このラベル状の商品収容具９におまけＤを取り付けて、キャップ５´に取り付けるように構成しても構わない。
【符号の説明】
【００５８】
１    容器包装体
２    容器
３    容器保持具
５    キャップ
６    小径部
７    大径部
８    段部
９    商品収容具
２１  口部
３１  容器保持孔
３２  突片
【図１】
0005757713.tif 000002
【図２】
0005757713.tif 000003
【図３】
0005757713.tif 000004
【図４】
0005757713.tif 000005
【図５】
0005757713.tif 000006
【図６】
0005757713.tif 000007
【図７】
0005757713.tif 000008
【図８】
0005757713.tif 000009
【図９】
0005757713.tif 000010
【図１０】
0005757713.tif 000011
【図１１】
0005757713.tif 000012
【図１２】
0005757713.tif 000013
【図１３】
0005757713.tif 000014
【図１４】
0005757713.tif 000015
【図１５】
0005757713.tif 000016
【図１６】
0005757713.tif 000017
【図１７】
0005757713.tif 000018